(57)【要約】【課題】２つの画面で撮影画像に第２画像を入力して合成画像を生成して出力することができる写真撮影装置を提供する。【解決手段】撮影手段と、上記撮影画像を表示する表示手段と、使用者の操作により上記表示手段に表示された撮影画像に対して第２画像を入力する入力手段と、上記撮影画像と第２画像を合成して合成画像を生成する画像合成手段と、上記合成画像を所定のレイアウトで出力する画像出力手段とを備え、上記表示手段は左右２つの表示部を備えて構成されるとともに、上記入力手段は左右２つの表示部のそれぞれに対応して左右２つの入力部を備えて構成され、上記撮影画像を左右の表示部にそれぞれ複数ずつ表示し、左の表示部に表示された複数の撮影画像に対しては左の入力部で第２画像の入力が行われ、右の表示部に表示された複数の撮影画像に対しては右の入力部で第２画像の入力が行われるように制御するように構成した。【選択図】図５
2005348424.tif 000002
【特許請求の範囲】
【請求項１】
被写体を撮影して撮影画像を生成する撮影手段と、上記撮影手段で撮影された撮影画像を表示する表示手段と、使用者の操作により上記表示手段に表示された撮影画像に対し、上記撮影画像と合成される第２画像を入力する入力手段と、上記撮影画像と第２画像を合成して合成画像を生成する画像合成手段と、上記合成画像を所定のシートレイアウトで出力する画像出力手段とを備え、
上記表示手段は左右２つの表示部を備えて構成されるとともに、上記入力手段は左右２つの表示部のそれぞれに対応して左右２つの入力部を備えて構成され、
上記撮影手段で生成した撮影画像を、左右の表示部にそれぞれ複数ずつ表示し、左の表示部に表示された複数の撮影画像に対しては左の入力部で第２画像の入力が行われ、右の表示部に表示された複数の撮影画像に対しては右の入力部で第２画像の入力が行われるように制御する制御手段を備えたことを特徴とする写真撮影装置。
【請求項２】
被写体を撮影して撮影画像を生成する撮影手段と、上記撮影手段で撮影された撮影画像を表示する表示手段と、使用者の操作により上記表示手段に表示された撮影画像に対し、上記撮影画像と合成される第２画像を入力する入力手段と、上記撮影画像と第２画像を合成して合成画像を生成する画像合成手段と、上記合成画像を所定のシートレイアウトで出力する画像出力手段とを備えた装置による写真提供方法であって、
上記表示手段は左右２つの表示部を備えて構成され、上記入力手段は左右２つの表示部のそれぞれに対応して左右２つの入力部を備えて構成され、
上記撮影手段で生成した撮影画像を、左右の表示部にそれぞれ複数ずつ表示し、左の表示部に表示された複数の撮影画像に対しては左の入力部で第２画像の入力が行われ、右の表示部に表示された複数の撮影画像に対しては右の入力部で第２画像の入力が行われるように制御することを特徴とする写真提供方法。
【発明の詳細な説明】
【技術分野】
【０００１】
本発明は、ゲームセンター等に設置され、硬貨等の投入により使用者を撮影し、撮影画像をプリントして販売する写真撮影装置および写真提供方法に関するものである。
【背景技術】
【０００２】
近年、ゲームセンター等において、写真を撮影してシールプリント等にする写真撮影装置が数多く設置されている。このような写真撮影装置としては、一般に、図１５に示すようなものが用いられている。このものは、本体５２の内部に、略４５°の角度をもってハーフミラー５３が設けられている。このハーフミラー５３の奥に、使用者５４を撮影するカメラ５５が設けられ、ハーフミラー５３の下方には、上記カメラ５５で撮影された画像を表示するモニタ５６が設けられている。図において５１はコントローラ、５７は写真プリント５８を印刷するプリンタである。
【０００３】
上記写真撮影装置では、ハーフミラー５３を透してカメラ５５で撮影された画像がモニタ５６に表示され、このモニタ５６に表示された画像がハーフミラー５３に反射して使用者５４によって確認できるようになっている。そして、使用者５４は、モニタ５６に映った自分の姿を確認しながら所望のポーズをとり、好みのところでコントローラ５１を操作して静止画を撮影することが行われる。そして、この静止画は、適当なフレームや前景の画像と合成されて写真プリント５８として印刷される。
【発明の開示】
【発明が解決しようとする課題】
【０００４】
しかしながら、上記写真撮影装置では、カメラ５５で撮影した写真をシール等の写真プリント５８として、その場で出力できるにすぎない。最近では、写真撮影装置利用人口の増加とともに、そのニーズも多様化している。そこで、これらのニーズに応えるため、使用者５４の画像に合成されるフレームや前景として各種の趣向を凝らしたものも数多く提供されているが、単にその場で写真プリント５８として出力するだけの画一的なものでは満足されなくなってきている。
【０００５】
そこで、最近では、カメラで撮影した画像をメモリに固定して液晶タブレット等に表示し、表示された固定画像にタッチペン等で手書き画像を入力して上記固定画像に合成する写真撮影装置も考案され実用化されている。
【０００６】
上記写真撮影装置では、一旦撮影画像を静止画として固定してこの１枚の撮影画像に手書き画像を入力し合成してプリントするため、１回のプレイでは手書き画像が合成された撮影画像が１枚得られるにすぎない。ところが、１回のプレイで納得のいく撮影画像や手書き画像の入力を行なえればよいが、必ずしもそのような場合ばかりとは限らず、十分に納得できないままプレイが終了して画像がプリントアウトされてしまうこともしばしば起こりうる。このような場合、使用者としては、十分な満足を得ることができず、納得できるプリントを得るためには再び最初からプレイをやり直さなければならないため、時間も費用も同じだけかかり、無駄が多かった。一方、ゲームセンター等にとっては、同じ使用者に連続プレイをされると、それだけ顧客の回転率が悪くなって顧客に不満を与えかねない。
【０００７】
一方、出願人による先行技術調査の結果、本願に関連する先行技術文献として、下記のものが開示されていた。先行技術１（下記の特許文献１）として、複数回撮像して得られた複数の被写体画像のうち必要とする被写体画像を選択してプリントすることで、無駄なく必要とする被写体画像のプリントを得ることができる証明写真作成装置が開示されている。先行技術２（下記の特許文献２）として、シールの形状および台紙上のその配置位置を自由に設定することができるシール自動販売装置が開示されている。
【０００８】
【特許文献１】特開２０００−１３１７５３号
【特許文献２】特開２０００−１１２５２号
【０００９】
本発明は、このような事情に鑑みなされたもので、２つの画面で撮影画像に手書き画像等の第２画像を入力して合成画像を生成して出力することができる写真撮影装置および写真提供方法の提供を目的とする。
【課題を解決するための手段】
【００１０】
上記の目的を達成するため、本発明の写真撮影装置は、被写体を撮影して撮影画像を生成する撮影手段と、上記撮影手段で撮影された撮影画像を表示する表示手段と、使用者の操作により上記表示手段に表示された撮影画像に対し、上記撮影画像と合成される第２画像を入力する入力手段と、上記撮影画像と第２画像を合成して合成画像を生成する画像合成手段と、上記合成画像を所定のシートレイアウトで出力する画像出力手段とを備え、上記表示手段は左右２つの表示部を備えて構成されるとともに、上記入力手段は左右２つの表示部のそれぞれに対応して左右２つの入力部を備えて構成され、上記撮影手段で生成した撮影画像を、左右の表示部にそれぞれ複数ずつ表示し、左の表示部に表示された複数の撮影画像に対しては左の入力部で第２画像の入力が行われ、右の表示部に表示された複数の撮影画像に対しては右の入力部で第２画像の入力が行われるように制御する制御手段を備えたことを要旨とする。
また、本発明の写真提供方法は、被写体を撮影して撮影画像を生成する撮影手段と、上記撮影手段で撮影された撮影画像を表示する表示手段と、使用者の操作により上記表示手段に表示された撮影画像に対し、上記撮影画像と合成される第２画像を入力する入力手段と、上記撮影画像と第２画像を合成して合成画像を生成する画像合成手段と、上記合成画像を所定のシートレイアウトで出力する画像出力手段とを備えた装置による写真提供方法であって、上記表示手段は左右２つの表示部を備えて構成され、上記入力手段は左右２つの表示部のそれぞれに対応して左右２つの入力部を備えて構成され、上記撮影手段で生成した撮影画像を、左右の表示部にそれぞれ複数ずつ表示し、左の表示部に表示された複数の撮影画像に対しては左の入力部で第２画像の入力が行われ、右の表示部に表示された複数の撮影画像に対しては右の入力部で第２画像の入力が行われるように制御することを要旨とする。
【発明の効果】
【００１１】
すなわち、本発明の写真撮影装置および写真提供方法では、上記表示手段は左右２つの表示部を備えて構成され、上記入力手段は左右２つの表示部のそれぞれに対応して左右２つの入力部が設けられ、上記撮影手段で生成した撮影画像を、左右の表示部にそれぞれ複数ずつ表示し、左の表示部に表示された複数の撮影画像に対しては左の入力部で第２画像の入力が行われ、右の表示部に表示された複数の撮影画像に対しては右の入力部で第２画像の入力が行われるように制御するため、複数の表示部と入力手段とのそれぞれで第２画像の入力ができ、複数人で利用する場合にそれぞれの利用者が楽しめ、満足できる。さらに、左右それぞれの表示部で複数の撮影画像に第２画像を合成して出力することから、１回のプレイで使用者が納得できる合成を得やすく、使用者の満足度が高くなる。このため、プレイのやり直しの必要性が低下し、使用者にとっては時間と費用の節約となり、ゲームセンター等にとっては顧客の回転率の低下を防止できる。また、あまり気に入らない画像に気軽に手書き画像等の第２画像を入力する練習（たとえばペンやスタンプの試し書き）ができ、その合成画像や練習結果を参考に、気に入った画像に本番の第２画像入力を行うことができるため、手際よく第２画像の入力ができ、より使用者の満足度が高くなる結果が得られる。
【００１２】
本発明において、使用者が選択した好みの撮影画像を用いるようにした場合には、より使用者が納得できる合成画像を得やすい。
【００１３】
本発明において、どの撮影画像をどのディスプレイに表示するかの選択は、表示したい方のディスプレイにおいて、表示された撮影画像の一覧から所望の撮影画像を選択することにより行われる場合には、複数人で利用する場合にそれぞれの利用者が楽しめ、満足できる。
【００１４】
本発明において、すでにいずれかのディスプレイでの表示を選択された撮影画像は、他のディスプレイでは選択できないように制御される場合には、同じ撮影画像が２つのディスプレイの双方に表示されてしまうのが防止される。
【００１５】
本発明において、上記ディスプレイに撮影画像を同時に２つ以上表示するとともに、上記第２画像入力手段により上記２つ以上の撮影画像に合成される第２画像を入力するようになっている場合には、１回のプレイで複数の撮影画像にそれぞれ第２画像を入力して合成画像を得るため、１回のプレイで使用者が納得できる合成画像を得やすく、使用者の満足度が高くなる。このため、プレイのやり直しの必要性が低下し、使用者にとっては時間と費用の節約となり、ゲームセンター等にとっては顧客の回転率の低下を防止できる。また、２つ以上の撮影画像を比べながら第２画像の入力ができることから、バラエティに富んだ合成画像が得られ、使用者の楽しみが大きくなる。
【００１６】
本発明において、２つ以上の撮影画像を同じ大きさで並べて各ディスプレイに表示するようになっている場合には、２つ以上の撮影画像を見比べながら第２画像の入力ができる。
【００１７】
本発明において、並べて表示された撮影画像の境界をまたぐように第２画像を入力しうるようになっている場合には、並べて表示された撮影画像の境界をまたぐように第２画像が合成された写真が得られる。
【００１８】
本発明において、撮影手段により被写体を複数回撮影することにより２つ以上の撮影画像を生成してディスプレイに表示するようになっている場合には、１回のプレイで複数回の撮影による撮影画像を得てそれぞれ第２画像を入力して合成画像を得るため、使用者が納得できる撮影画像を得やすい。また、バラエティに富んだ合成画像が得られ、使用者の楽しみが大きくなる。
【００１９】
本発明において、撮影手段により撮影された撮影画像を複写することにより２つ以上の撮影画像を生成してディスプレイに表示するようになっている場合には、同じ撮影画像を使って異なる第２画像を入力して合成した写真が得られる。
【００２０】
本発明において、上記画像合成手段で合成された合成画像の中から出力する合成画像を選択する合成画像選択手段を備えている場合には、気に入った合成画像を選択して出力することから、１回のプレイで使用者が納得できる合成を得やすく、使用者の満足度が高くなる。また、あまり気に入らない画像に第２画像を入力する練習（たとえばペンやスタンプの試し書き）ができ、その後練習に用いた合成画像を出力しないような選択ができる。
【００２１】
本発明において、上記合成画像選択手段は、使用者による合成画像選択のやり直し操作を受け付けるようになっている場合には、使用者がどの合成画像を選択するか迷っているときや、複数人の使用者のあいだでどの合成画像を選択するかの意見が合わない場合などにも、やり直し操作を受け付けうるので、「やっぱりこの画像はいらなかった」というようなプレイ終了後の後悔が起こりにくく、使用者の満足度を高めることができる。
【００２２】
本発明において、上記合成画像選択手段で選択された合成画像の数に応じてシートレイアウトを決定するシートレイアウト決定手段を備えている場合には、使用者が気に入った合成画像の数に応じて最適なシートレイアウトが自動的に決定され、シートレイアウトの選択に失敗が起こらない。また、選択された合成画像数に応じて最適なシートレイアウトが決定されるため、１枚の写真プリント上で画像が印刷されない余白部分を少なくすることができ、複数の合成画像が印刷されている場合にも切り分けやすい配置にすることができる。
【００２３】
本発明において、シートレイアウト決定手段は、合成画像選択手段で選択された合成画像の数の倍数に分割されたシートレイアウトを決定するようになっている場合には、選択された合成画像がそれぞれのシートレイアウトにおいて同数ずつ印刷出力され、出力された写真プリントを友人にあげるときや、複数人の使用者で分け合う場合などに極めて都合がよい。
【００２４】
本発明において、上記シートレイアウト決定手段により複数のシートレイアウトが決定され、これら複数のシートレイアウトのなかから使用者の操作により使用者所望のシートレイアウトを選択しうるシートレイアウト選択手段を備えている場合には、最適のシートレイアウトの中から使用者の気に入ったシートレイアウトを選択できることから、使用者の満足度がより向上する。
【発明を実施するための最良の形態】
【００２５】
つぎに、本発明の実施の形態を詳しく説明する。
【００２６】
図１および図２は、本発明の写真撮影装置の一実施の形態を示す図である。この写真撮影装置は、内部および表面に各種の装置が設けられた筐体１と、上記筐体１の上下から被写体２の背後まで達するように突き出された支柱３とを備えている。そして、上記両支柱３の先端部分に、撮影の際の背景となるカーテン５が吊設され、上記筐体１，支柱３，カーテン５で囲まれた空間が、被写体２の撮影用ブースを形成している。上側の支柱３には、撮影用ブース内の被写体２を照射する２つのライト４が取り付けられている。
【００２７】
上記筐体１の内部には、被写体２を撮影する２台のカメラ６ａ，６ｂが設けられている。上側のカメラ６ａは被写体２をバストアップで撮影するものであり、下側のカメラ６ｂは被写体２の全身を撮影するものである。
【００２８】
上記筐体１のカメラ６ａ，６ｂの被写体２側に位置する面には、透明板１０が嵌め込まれている。また、上記筐体１の内部には、上記カメラ６ａ，６ｂから画像データを受信して画像合成等の処理を行なうコンピュータ装置７が設けられている。
【００２９】
また、上記筐体１の被写体２側には、上記コンピュータ装置７から送信された合成画像等の画像信号を受信して画像を表示する２つのディスプレイ８ａ，８ｂが設けられている。さらに、上記筐体１の内部には、コンピュータ装置７から送信された画像データを受信し、この画像を印刷媒体１５に印刷するプリンタ９が設けられている。このプリンタ９で印刷された印刷媒体１５は、筐体１前面に形成された送出口１９から送出されるようになっている。
【００３０】
さらに、上記筐体１の被写体２側には操作パネルが設けられ、この操作パネルに、上記２つのディスプレイ８ａ，８ｂに対応した２つのコントローラ１１ａ，１１ｂが設けられている。上記コントローラ１１ａ，１１ｂは、それぞれタッチペン１２ａ，１２ｂを備えており、使用者２が各ディスプレイ８ａ，８ｂに表示される操作指示に従ってディスプレイ８ａ，８ｂの表面をタッチペン１２ａ，１２ｂでタップ（軽く叩く）等することにより、各種の操作信号がコンピュータ装置７に送られ、後述する各種の操作が行なわれるようになっている。
【００３１】
また、上記各タッチペン１２ａ，１２ｂは、その先端をディスプレイ８ａ，８ｂの表面に接触させて文字や図形等を描いて入力しうるようになっており、手書き入力された文字・図形等の画像データやスタンプ画像等が、カメラ６ａ，６ｂで撮影された被写体２の撮影画像と合成されてディスプレイ８ａ，８ｂに表示され、その合成画像が印刷媒体１５に印刷されるようになっている。
【００３２】
また、筐体１の前面には、対価としてのコインを投入するコイン投入口１８が設けられ、筐体１内部のコイン投入口１８に隣接した位置に、投入されたコインを検出してコンピュータ装置７に検出信号を送信するコイン検出部１７（図３参照）が設けられている。また、筐体１前面の適所には、コンピュータ装置７から音声信号を受信して出力するスピーカ（図示せず）が設けられている。
【００３３】
この例において、使用者２がディスプレイ８ａ，８ｂから見る画像およびプリンタ９から印刷される画像は、被写体２の撮影像と、タッチペン１２ａ，１２ｂによる手書き入力画像等とが合成されたものである。
【００３４】
つぎに、上記コンピュータ装置７のシステム構成について詳しく説明する。
【００３５】
図３に示すように、コンピュータ装置７は、タッチペン１２ａ，１２ｂによりディスプレイ８ａ，８ｂの入力部３５に入力された各種の操作信号をコントローラ１１ａ，１１ｂを介して受信し、受信した操作信号に応じて各種制御を行なう制御手段３１を備えている。上記制御手段３１は、コイン検出部１７からの検出信号を受信することにより、撮影等の制御を開始するようになっている。
【００３６】
なお、図３では、カメラ６ａ，６ｂ、ディスプレイ８ａ，８ｂ、コントローラ１１ａ，１１ｂ、タッチペン１２ａ，１２ｂは、それぞれ１つだけ示している。
【００３７】
上記ディスプレイ８ａ，８ｂには、タッチペン１２ａ，１２ｂによって手書き画像や操作信号が入力される入力部３５と、画像等を表示する表示部３６とが設けられている。上記タッチペン１２ａ，１２ｂで入力された手書き画像等は、ペン入力画像記憶部３２に記憶され、記憶された手書き画像等のデータは、後述する画像合成手段３０に送られる。また、タッチペン１２ａ，１２ｂによって入力された操作信号は、コントローラ１１ａ，１１ｂを介して制御手段３１に送られ、各種の制御が行なわれる。
【００３８】
上記コンピュータ装置７には、タッチペン１２ａ，１２ｂによるペン入力画像の入力可能時間を計測するタイマ２６が設けられている。上記タイマ２６は、制御手段３１による手書き画像開始の指示メッセージをディスプレイ８ａ，８ｂに表示させるのとほぼ同時に計測を開始する。上記タイマ２６の計測時間があらかじめ設定された所定の入力可能時間（例えば９０秒等）に達したときに手書き画像等の入力を停止してつぎの動作に移るようになっている。
【００３９】
そして、上記コンピュータ装置７には固定画像記憶部３８が設けられ、上記被写体２によるタッチペン１２ａ，１２ｂの操作により所望のシャッタタイミングで撮像映像を静止画像として固定するようになっている。
【００４０】
また、上記コンピュータ装置７には、シャッタ操作によるカメラ６ａ，６ｂでの撮影回数をカウントするカウンタ２５が設けられている。上記カウンタ２５は、コイン検出部１７による最初のコインの検出によってリセットされてカウントを開始する。上記カウンタ２５のカウントがあらかじめ設定された所定の撮影可能回数（例えば４回等）に達するまで、所定の時間間隔で撮影を繰り返し、２つ以上の複数の撮影画像（静止画像）を得るようになっている。
【００４１】
そして、この写真撮影装置では、上記カメラ６ａ，６ｂによる静止画像の固定を複数回行い、複数の撮影画像を生成して固定画像記憶部３８に記憶するようになっている。上記複数の撮影画像は、ディスプレイ８ａ，８ｂの表示部３６にそれぞれ一覧表示されて使用者２に対してプレビュー確認させるようになっている。
【００４２】
また、上記コンピュータ装置７には、ディスプレイ選択手段３７が設けられ、上記一覧表示された２つ以上の撮影画像を２つのディスプレイ８ａ，８ｂのうちいずれのディスプレイ８ａ，８ｂに表示するかを使用者２がタッチペン１２ａ，１２ｂを操作して選択するようになっている。なお、このとき１つのディスプレイ８ａ，８ｂに表示させる画像はひとつでもよいし複数でもよい。そして、上記ディスプレイ選択手段３７で選択された撮影画像は、それぞれのディスプレイ８ａ，８ｂの表示部３６に並べて表示され、この状態で手書き画像の入力が行なわれる。
【００４３】
さらに、上記コンピュータ装置７には画像合成手段３０が設けられ、上記ディスプレイ選択手段３７で選択されたディスプレイ８ａ，８ｂに表示された撮影画像に、タッチペン１２ａ，１２ｂによってディスプレイ８ａ，８ｂの入力部３５に入力され、ペン入力画像記憶部３２に記憶された文字や図形等の手書き画像等を合成するようになっている。上記画像合成手段３０で合成された２つ以上の合成画像は、ディスプレイ８ａ，８ｂの表示部３６に表示されるようになっている。
【００４４】
また、上記コンピュータ装置７には、上記画像合成手段３０で合成された撮影画像とペン入力画像との２つ以上の合成画像から、使用者２がタッチペン１２ａ，１２ｂの操作により、表情がよかったりペン入力画像の出来がよい等の理由により、印刷出力を希望する気に入った合成画像を選択する合成画像選択手段３３を備えている。上記合成画像選択手段３３で選択されて印刷出力に供される合成画像は、少なくとも１つ以上である。
【００４５】
また、上記コンピュータ装置７には、上記合成画像選択手段３３で選択された印刷出力される合成画像の数に応じて適切なシートレイアウトを複数自動的に決定するシートレイアウト決定手段３４を備えている。
【００４６】
上記シートレイアウト決定手段３４は、印刷出力される合成画像の種類と数によってあらかじめ準備されたシートレイアウトの中から、使用者２が印刷出力するために選択した合成画像の種類と数に応じて適切なシートレイアウトを自動的に決定する。例えば、使用者２が選択した合成画像が、全身画像１枚とバストアップ画像２枚であれば、それに応じたシートレイアウトを例えば３つ決定する。
【００４７】
また、上記コンピュータ装置７は、上記シートレイアウト決定手段３４で自動的に決定された複数のシートレイアウトの中から、使用者２がタッチペン１２ａ，１２ｂの操作により印刷出力を希望するシートレイアウトを選択するシートレイアウト選択手段４０を備えている。
【００４８】
そして、プリンタ９による印刷を制御する印刷制御部（図示せず）により、上記シートレイアウト選択手段４０で選択されたシートレイアウトによる写真プリントが印刷出力される。このとき、使用者２による指示により、手書き画像入力の際に並べて表示された撮影画像を１枚の写真として印刷したり、別々の写真として印刷することが行なわれる。
【００４９】
また、上記コンピュータ装置７には、送受信手段３９が設けられている。上記送受信手段３９は、例えばインターネット等の通信回線（ＮＥＴ）に接続され、撮影画像や合成画像を上記通信回線を介して外部に出力し、外部のサーバに格納したり端末装置等に出力して表示したり印刷したりできるようになっている。
【００５０】
上記写真撮影装置の動作の一例について、図４のフローチャートを参照しながら説明する。ここで、図４において、「Ｓ」はステップを意味する。
【００５１】
まず、使用者２が最初のコインを投入すると（Ｓ１００）、カメラ６ａ，６ｂによる被写体２の撮像が開始され（Ｓ１１０）、ディスプレイ８ａ，８ｂの表示部３６に撮像映像が動画としてリアルタイムで表示される。
【００５２】
ついで、使用者２がディスプレイ８ａ，８ｂの表示画像を見ながら被写体２の位置調整を完了した後に、タッチペン１２ａ，１２ｂを用いて画面の指示に従ってシャッタ操作の操作信号を入力すると（Ｓ１２０）、使用者２にポーズをとるよう指示し、それから所定時間のカウントダウン後に、所定の瞬間の撮像映像が固定画像記憶部３８に固定される（Ｓ１３０）。このとき、ディスプレイ８ａ，８ｂには、そのときの撮影画像が静止画像として表示される。
【００５３】
つぎに、カウンタ２５が規定の撮影枚数のカウントに達しているか否かにより、規定の枚数に達していなければステップ１２０に戻ってシャッタ操作と画像の固定を繰り返し、規定の枚数に達していればつぎのステップに進む（Ｓ１４０）。
【００５４】
ステップ１４０において、規定の撮影回数に達していれば、図５に示すように、全ての撮影画像２２ａ，２２ｂ，２２ｃ，２２ｄの一覧を双方のディスプレイ８ａ，８ｂに表示して使用者２に対してどの撮影画像２２ａ，２２ｂ，２２ｃ，２２ｄをどのディスプレイ８ａ，８ｂに表示するかの選択を促す（Ｓ１５０）。この例では、４回のシャッタ操作により撮影された４枚の撮影画像が表示されている。
【００５５】
ついで、使用者２は、表示したい方のディスプレイ８ａ，８ｂにおいてタッチペン１２ａ，１２ｂの先端で好みの撮影画像２２ａ，２２ｂ，２２ｃ，２２ｄをタップすることにより、撮影画像２２ａ，２２ｂ，２２ｃ，２２ｄごとに表示するディスプレイ８ａ，８ｂを選択することを行なう（Ｓ１６０）。
【００５６】
このとき、すでにいずれかのディスプレイ８ａ，８ｂでの表示を選択された撮影画像２２ａ，２２ｂ，２２ｃ，２２ｄは例えば暗く表示され、他のディスプレイ８ａ，８ｂでは選択できないようになっており、同じ撮影画像２２ａ，２２ｂ，２２ｃ，２２ｄが２つのディスプレイ８ａ，８ｂの双方に表示されてしまうのを防止するようになっている。
【００５７】
ディスプレイ８ａ，８ｂの選択が行なわれると、図６に示すように、ディスプレイ８ａの表示部３６に撮影画像２２ａ，２２ｂが並べて表示される（Ｓ１７０）。このとき、図示はしていないが、ディスプレイ８ｂの表示部３６には撮影画像２２ｃ，２２ｄが並べて表示される。この状態で、双方のディスプレイ８ａ，８ｂにおいてタッチペン１２ａ，１２ｂを操作することにより手書き画像等のペン入力画像の入力が行なわれる。
【００５８】
図６の手書き画像入力画面において、２１ａ，２１ｂ，２１ｃは、それぞれ手書きペン，スタンプ画像，アルファベット文字を入力する際にタッチペン１２ａ，１２ｂでタップするアイコンである。
【００５９】
手書き画像２７を入力する際には、手書きペンのアイコン２１ａをタッチペン１２ａ，１２ｂの先端でタップしてから、タッチペン１２ａ，１２ｂの先端を、並べて表示された撮影画像２２ａ，２２ｂの上に接触させて絵や文字を描くことにより、手書き画像２７の入力が行なわれる。
【００６０】
スタンプ画像２８を入力する際には、スタンプ画像のアイコン２１ｂをタッチペン１２ａ，１２ｂの先端でタップしてから、タッチペン１２ａ，１２ｂの先端を、並べて表示された撮影画像２２ａ，２２ｂの上に接触させることにより、スタンプ画像２８の入力が行なわれる。
【００６１】
アルファベット文字を入力する際には、アルファベット文字のアイコン２１ｃをタッチペン１２ａ，１２ｂの先端でタップしてから、タッチペン１２ａ，１２ｂの先端を、並べて表示された撮影画像２２ａ，２２ｂの上に接触させることにより、アルファベット文字の入力が行なわれる。
【００６２】
このようにして、手書き画像２７やスタンプ画像２８等が入力され、図７に示すように、並べて表示された撮影画像２２ａ，２２ｂの上に合成される（Ｓ１８０）。このとき、上記手書き画像２７やスタンプ画像２８は、ふたつの撮影画像２２ａ，２２ｂの境界線２９をまたぐように入力され合成されるようになっている。
【００６３】
そして、手書き画像等の入力は、タイマ２６の計測時間があらかじめ設定された所定の入力可能時間（例えば９０秒等）に達するまで続けられる。入力可能時間に達すると、手書き画像等の入力が停止され、２つ以上（この例では４つ）の合成画像のなかから、表情やペン入力画像の出来具合のよいものをタッチペン１２ａ，１２ｂの先端でタップすることにより、印刷出力を希望する合成画像を選択することが行われる（Ｓ１８２）。
【００６４】
この合成画像選択の際に、２つ以上の合成画像のなかから、印刷出力を希望しない合成画像をタッチペン１２ａ，１２ｂの先端でタップすることにより削除して印刷出力する合成画像を選択するようにしてもよい。
【００６５】
例えば、図１０に合成画像を選択する画面の一例を示し、以下合成画像選択手段３３による合成画像の選択動作の一例を説明する。
【００６６】
図中（イ）（ロ）（ハ）（ニ）はそれぞれ合成画像が表示されたものであり、表示された合成画像の上をタッチペン１２ａ，１２ｂの先端でタップすることにより、合成画像（ロ）に例示したように、合成画像（ロ）上に「×」印が表示される。この場合は、「×」印が表示された合成画像（この場合は（ロ））が印刷出力しない画像であり、「×」印が表示されていない合成画像が印刷出力される画像として選択されたものである。
【００６７】
ここで、「×」印が表示された合成画像（この場合は（ロ））を再度タッチペン１２ａ，１２ｂでタップすると「×」印は消え、再び印刷出力する合成画像として選択しなおすことができるようになっている。このように、上記合成画像選択手段３３は、一旦選択した合成画像をキャンセルしたり、一旦選択しなかった合成画像を再び選択したりするように、使用者２による合成画像選択のやり直し操作を受け付けるようになっている。
【００６８】
このようにすることにより、使用者２がどの合成画像を選択するか迷っているときや、複数人の使用者２のあいだでどの合成画像を選択するかの意見が合わない場合などにも、やり直し操作を受け付けうるので、「やっぱりこの画像はいらなかった」というようなプレイ終了後の後悔が起こりにくく、使用者２の満足度を高めることができる。
【００６９】
図１０の場合は（イ）（ハ）（ニ）の３つの合成画像が選択されており、後に印刷出力される。図中の「決定」ボタン４１をタップすることにより、合成画像の選択が確定する。また、「全部プリントする」ボタン４２をタップすると、すべての合成画像（イ）（ロ）（ハ）（ニ）が選択された状態となり、表示されている合成画像全ての選択を一括して行うことができる。
【００７０】
このような選択操作ややり直し操作の受け付けは、決められた制限時間内に行うようになっており、残り時間がタイマ２６で計測され、画面上の残り時間表示部４３に表示されるようになっている。残り時間がなくなったときに決定ボタン４１による合成画像選択の確定がなされていない場合には、制限時間経過時に選択されている合成画像（すなわち「×」印がついていない合成画像）の選択が確定される。また、この場合には、表示されている合成画像の全てが選択されたことにして確定させることもでき、適宜の動作が行われる。
【００７１】
つぎに、上記選択された合成画像の種類と数により、あらかじめ準備されたシートレイアウトの中から適合するシートレイアウトを複数自動的に決定する（Ｓ１８５）。例えば、使用者２が選択した合成画像が、全身画像１枚とバストアップ画像２枚であれば、それに応じたシートレイアウトを例えば３つ決定する。
【００７２】
ここで、図１１〜図１４は、選択された合成画像の枚数に応じて決定されたシートレイアウトを表示する画面の例を示す。このシートレイアウトを表示する画面において、シートレイアウトの決定操作が行なわれる。
【００７３】
例えば、選択された合成画像が１枚の場合は、図１１に示すように、４分割，８分割，１０分割，１２分割，１６分割，２４分割の複数（この例では６種類）のシートレイアウトが決定され、画面上に表示される。この場合は選択された合成画像が１枚（この例では「イ」）なので、すべてのシートレイアウトにおいて合成画像「イ」だけが印刷される。
【００７４】
また、選択された合成画像が２枚の場合は、図１２に示すように、４分割，８分割，１０分割，１２分割，１６分割，２４分割の複数（この例では６種類）のシートレイアウトが決定され、画面上に表示される。この場合は選択された合成画像が２枚（この例では「イ」「ロ」）なので、すべてのシートレイアウトにおいて合成画像「イ」「ロ」が同数ずつ印刷される。このとき、決定されるシートレイアウトでは、選択された合成画像が同数ずつ印刷されるように、選択された枚数（２枚）の倍数である偶数分割のレイアウトが抽出され決定されている。
【００７５】
また、選択された合成画像が３枚の場合は、図１３に示すように、９分割，９分割，１２分割，１５分割，１８分割，２７分割の複数（この例では６種類）のシートレイアウトが決定され、画面上に表示される。この場合は選択された合成画像が３枚（この例では「イ」「ロ」「ハ」）なので、すべてのシートレイアウトにおいて合成画像「イ」「ロ」「ハ」が同数ずつ印刷される。このとき、決定されるシートレイアウトでは、選択された合成画像が同数ずつ印刷されるように、選択された枚数（３枚）の倍数分割のレイアウトが抽出され決定されている。    
【００７６】
また、選択された合成画像が４枚の場合は、図１４に示すように、４分割，８分割，１２分割，１６分割，２４分割，２４分割の複数（この例では６種類）のシートレイアウトが決定され、画面上に表示される。この場合は選択された合成画像が４枚（この例では「イ」「ロ」「ハ」「ニ」）なので、すべてのシートレイアウトにおいて選択された合成画像「イ」「ロ」「ハ」「ニ」が同数ずつ印刷される。このとき、決定されるシートレイアウトでは、選択された合成画像が同数ずつ印刷されるように、選択された枚数（４枚）の倍数分割のレイアウトが抽出され決定されている。
【００７７】
このように、選択された合成画像の枚数に応じて最適なシートレイアウトが決定されるため、１枚の写真プリント上で画像が印刷されない余白部分を少なくすることができ、複数の合成画像が印刷されている場合にも切り分けやすい配置にすることができる。また、上記シートレイアウト決定手段３４によるシートレイアウトの決定において、選択された合成画像の枚数の倍数に分割されたシートレイアウトを抽出して決定することにより、選択された合成画像がそれぞれのシートレイアウトにおいて同数ずつ印刷出力され、出力された写真プリントを友人にあげるときや、複数人の使用者２で分け合う場合などに極めて都合がよい。
【００７８】
上述した画面に表示された各６種類のシートレイアウトの中からタッチペン１２ａ，１２ｂを用いてシートレイアウトの選択を行う。このような選択操作は決められた制限時間内に行うようになっており、タイマ２６で計測された残り時間が画面上の残り時間表示部４３に表示されるようになっている。
【００７９】
図１１〜１４において、「イ」「ロ」「ハ」「ニ」は選択された合成画像が写真プリント上のどの位置に配置されるかを示している。これらのシートレイアウト（合成画像の配置）は、あらかじめ複数のパターンを記憶しておき選択された画像の枚数に応じて読み出される。また、選択された画像の枚数，サイズおよび写真プリントの印刷解像度などから自動で計算して決定してもよい。
【００８０】
そののち、使用者２による印刷の際のシートレイアウトの選択が行なわれる（Ｓ１９０）。ここでは、シートレイアウトの選択を促す画面が表示され、使用者２は、シールプリントかカードプリントか、シールプリントの場合は何枚のシールにするか等の選択をタッチペン１２ａ，１２ｂにより行なう。
【００８１】
ついで、シートレイアウトの選択が終了すると、合成画像の画像データがプリンタ９に送られ、印刷が開始される（Ｓ２００）。そして、被写体２の撮影画像とペン入力画像等が合成された合成画像が印刷された印刷媒体１５が送出される。
【００８２】
このとき、使用者２が選択したシートレイアウトにより、図８に示すように、手書き画像２７等の入力画面（図６および図７参照）において並べて表示された撮影画像２２ａ，２２ｂの境界線２９を消して、２枚の撮影画像２２ａ，２２ｂを１枚のシールプリント２４に印刷することが行なわれる。図において２３はシール台紙である。
【００８３】
また、使用者２が選択したシートレイアウトにより、図９に示すように、手書き画像２７等の入力画面（図６および図７参照）において並べて表示された２枚の撮影画像２２ａ，２２ｂを別々のシールプリント２４に印刷することも行なわれる。
【００８４】
このように、上記写真撮影装置によれば、複数の撮影画像２２ａ，２２ｂに同時にそれぞれ手書き画像２７等の入力を行なえるため、１回のプレイで使用者２が納得できる撮影画像２２ａ，２２ｂや手書き画像２７を得やすく、使用者２の満足度が高くなる。このため、プレイのやり直しの必要性が低下し、使用者２にとっては時間と費用の節約となり、ゲームセンター等にとっては顧客の回転率の低下を防止できる。
【００８５】
なお、上記写真撮影装置では、合成画像を印刷するかわりに、送受信手段３９により通信回線を介して外部に出力し、外部のサーバに格納したり端末装置等に出力して表示したり、あるいは外部で印刷したりすることもできる。
【００８６】
また、上記写真撮影装置では、カメラ６ａ，６ｂでの撮影回数をカウンタ２５でカウントし、あらかじめ設定された撮影可能回数に達したときに、撮影画像の選択を行なうようにしたが、これに限定するものではなく、カメラ６ａ，６ｂでの撮影可能時間をタイマ２６で計測し、あらかじめ設定された撮影可能時間に達したときに、撮影画像の選択を行なうようにしてもよい。
【００８７】
また、上記写真撮影装置では、撮影された静止画像のすべてをディスプレイ８ａ，８ｂに表示してペン入力画像と合成するようにしたが、これに限定するものではなく、カメラ６ａ，６ｂにより複数の静止画像を生成し、これら複数の撮影画像のなかから２つ以上の撮影画像を選択してディスプレイ８ａ，８ｂに表示してペン入力画像を入力して合成するようにすることも可能である。
【００８８】
なお、上記各実施の形態では、コインの投入により撮影を開始し、追加コインの投入により撮影可能回数の追加や手書き画像入力可能時間の延長を行なうようにしたが、これに限定するものではなく、紙幣，プリペイドカード，メダル，クレジットカード，キャッシュカード等、撮影の対価として支払いうるものであれば、各種の態様を含む趣旨である。また、これらは、単独で用いる場合だけでなく、組み合わせて用いる場合も含む趣旨である。さらに、対価を要求することなく、無料で撮影を行わせる場合も含む趣旨である。
【００８９】
また、上記各実施の形態では、カメラ６ａ，６ｂでの撮像映像とペン入力画像等とのふたつの画像を合成するようにしたが、これに限定するものではなく、これらの画像に、さらに前景や背景等になるフレーム画像を合成するようにしてもよい。
【００９０】
さらに、上記実施の形態では、カメラ６ａ，６ｂで被写体２を複数回撮影して複数の撮影画像を生成し、それらをディスプレイ８ａ，８ｂに表示するようにしたが、これに限定するものではなく、カメラ６ａ，６ｂで被写体２を１回だけ撮影して得られた撮影画像を複写して複数の撮影画像を生成し、それらをディスプレイ８ａ，８ｂに表示してそれぞれにペン入力画像を入力するようにもできる。
【００９１】
また、撮影を複数回行なって複数の撮影画像から使用者２が好みの画像を選択するとともに、選択した画像の少なくとも１枚を複写して複数の撮影画像を生成し、それらをディスプレイ８ａ，８ｂに表示するようにしてもよい。さらに、上記各実施の形態において、並べて同時に表示する撮影画像は、２枚に限定するものではなく、３枚以上にしてもよい。
【００９２】
また、上記実施の形態において、カメラ６ａ，６ｂとしては、デジタルカメラを用いることもできるし、ビデオカメラを用いることもでき、撮影画像を電気信号に変換しうるものであれば特に限定するものではなく、各種のものを用いることができる。さらに、上記実施の形態では、２台のカメラ６ａ，６ｂを備えた例を示したが、これに限定するものではなく、カメラは１台でもよいし、３台以上のカメラを備えるようにしても差し支えない。
【００９３】
また、上記実施の形態では、スタンプ画像は、スタンプ画像格納部（図示せず）に格納されたものを用いるようにしたが、これに限定するものではなく、フロッピディスク，ＣＤ−ＲＯＭ，ＣＤ−Ｒ，光磁気ディスク等の各種の記憶媒体に記憶された画像データを読取って使用するようにすることもできる。
【００９４】
また、上記実施の形態では、使用者２の操作によりシャッタ操作（Ｓ１２０）を行なうようにしたが、これに限定するものではなく、タイマーによるカウントダウンにより自動的にシャッタ操作が行なわれる等、ユーザーが操作することなしにシャッタ操作を行なうようにすることもできる。
【００９５】
また、上記実施の形態では、各ディスプレイ８ａ，８ｂに表示させる撮影画像を使用者２の操作により選択するようにしたが、これに限定するものではなく、表示するディスプレイ８ａ，８ｂを自動的に選択するようにしてもよい。例えば、上のカメラ６ａで撮影された画像Ａ，Ｂと、下のカメラ６ｂで撮影された画像Ｃ，Ｄとにおいて、左右のディスプレイ８ａ，８ｂにそれぞれ画像Ａ，Ｃと画像Ｂ，Ｄとを自動的に表示するようにもできる。
【００９６】
また、上記実施の形態において、送出口１９を筐体１の前面に設けたが、これに限定するものではなく、筐体１の側面に設けるようにしてもよい。
【００９７】
以上のように、本発明の写真撮影装置および写真提供方法によれば、上記表示手段は左右２つの表示部を備えて構成され、上記入力手段は左右２つの表示部のそれぞれに対応して左右２つの入力部が設けられ、上記撮影手段で生成した撮影画像を、左右の表示部にそれぞれ複数ずつ表示し、左の表示部に表示された複数の撮影画像に対しては左の入力部で第２画像の入力が行われ、右の表示部に表示された複数の撮影画像に対しては右の入力部で第２画像の入力が行われるように制御するため、複数の表示部と入力手段とのそれぞれで第２画像の入力ができ、複数人で利用する場合にそれぞれの利用者が楽しめ、満足できる。さらに、左右それぞれの表示部で複数の撮影画像に第２画像を合成して出力することから、１回のプレイで使用者が納得できる合成を得やすく、使用者の満足度が高くなる。このため、プレイのやり直しの必要性が低下し、使用者にとっては時間と費用の節約となり、ゲームセンター等にとっては顧客の回転率の低下を防止できる。また、あまり気に入らない画像に気軽に手書き画像等の第２画像を入力する練習（たとえばペンやスタンプの試し書き）ができ、その合成画像や練習結果を参考に、気に入った画像に本番の第２画像入力を行うことができるため、手際よく第２画像の入力ができ、より使用者の満足度が高くなる結果が得られる。
【図面の簡単な説明】
【００９８】
【図１】本発明の写真撮影装置の一実施の形態を示す断面図である。
【図２】上記写真撮影装置を示す正面図である。
【図３】コンピュータ装置のシステム構成図である。
【図４】上記写真撮影装置の動作を説明するフローチャート図である。
【図５】撮影画像の選択画面を示す図である。
【図６】手書き画像の入力画面を示す図である。
【図７】手書き画像の入力画面を示す図である。
【図８】合成画像をシールプリントに出力した状態を示す図である。
【図９】合成画像をシールプリントに出力した状態を示す図である。
【図１０】合成画像の選択画面を示す図である。
【図１１】選択された合成画像が１枚である場合に決定されたシートレイアウトを表示する画面である。
【図１２】選択された合成画像が２枚である場合に決定されたシートレイアウトを表示する画面である。
【図１３】選択された合成画像が３枚である場合に決定されたシートレイアウトを表示する画面である。
【図１４】選択された合成画像が４枚である場合に決定されたシートレイアウトを表示する画面である。
【図１５】従来例を示す断面図である。
【符号の説明】
【００９９】
１    筐体
２    被写体
３    支柱
４    ライト
５    カーテン
６ａ  カメラ
６ｂ  カメラ
７    コンピュータ装置
８ａ  ディスプレイ
８ｂ  ディスプレイ
９    プリンタ
１０    透明板
１１ａ  コントローラ
１１ｂ  コントローラ
１２ａ  タッチペン
１２ｂ  タッチペン
１５    印刷媒体
１７    コイン検出部
１８    コイン投入口
１９    送出口
２１ａ  アイコン
２１ｂ  アイコン
２１ｃ  アイコン
２２ａ  撮影画像
２２ｂ  撮影画像
２２ｃ  撮影画像
２２ｄ  撮影画像
２３    シール台紙
２４    シールプリント
２５    カウンタ
２６    タイマ
２７    手書き画像
２８    スタンプ画像
２９    境界線
３０    画像合成手段
３１    制御手段
３２    ペン入力画像記憶部
３３    合成画像選択手段
３４    シートレイアウト決定手段
３５    入力部
３６    表示部
３７    ディスプレイ選択手段
３８    固定画像記憶部
３９    送受信手段
４０    シートレイアウト選択手段
４１    「決定」ボタン
４２    「全部プリントする」ボタン
４３    残り時間表示部
５１    コントローラ
５２    本体
５３    ハーフミラー
５４    被写体
５５    カメラ
５６    モニタ
５７    プリンタ
５８    写真プリント
【図１】
2005348424.tif 000003
【図２】
2005348424.tif 000004
【図３】
2005348424.tif 000005
【図４】
2005348424.tif 000006
【図５】
2005348424.tif 000007
【図６】
2005348424.tif 000008
【図７】
2005348424.tif 000009
【図８】
2005348424.tif 000010
【図９】
2005348424.tif 000011
【図１０】
2005348424.tif 000012
【図１１】
2005348424.tif 000013
【図１２】
2005348424.tif 000014
【図１３】
2005348424.tif 000015
【図１４】
2005348424.tif 000016
【図１５】
2005348424.tif 000017